(57)【要約】【課題】インクジェット印刷装置におけるインクの交換を行う際に、交換されるインク間の混合に伴う凝集等の不具合を引き起こさず、安定的にかつ効率的にインクの交換が行える方法を提供する。【解決手段】インクジェット印刷装置に充填されているインクＡを、インクＢに交換する方法であり、  インクＡが存在する少なくとも１部または全部の箇所を、インクＡに対し親和性の高い洗浄液Ａにより洗浄する工程（１）と、洗浄液Ａが存在する少なくとも１部または全部の箇所を、インクＢに対し親和性の高い洗浄液Ｂにより洗浄する工程（２）と、洗浄液Ｂが存在する少なくとも１部または全部の箇所を、インクＢにより置換する工程（３）と、を有し、洗浄液Ａの表面張力は、インクＡの表面張力以上であり、かつ洗浄液Ｂの表面張力はインクＢの表面張力以上であるインクの交換方法。【選択図】図５
2020082353.tif 000002
【特許請求の範囲】
【請求項１】
インクジェット印刷装置に充填されるインクの交換方法において、
前記インクの交換方法は、少なくとも前記インクジェット印刷装置に充填されているインクＡを、交換すべきインクＢに交換する方法であり、
前記インクＡが存在する少なくとも１部または全部の箇所を、前記インクＡに対し親和性の高い洗浄液Ａにより洗浄する工程（１）と、
前記工程（１）後、前記洗浄液Ａが存在する少なくとも１部または全部の箇所を、前記インクＢに対し親和性の高い洗浄液Ｂにより洗浄する工程（２）と、
前記工程（２）後、前記洗浄液Ｂが存在する少なくとも１部または全部の箇所を、前記インクＢにより置換する工程（３）と、
を有し、
前記洗浄液Ａの表面張力は、前記インクＡの表面張力以上であり、かつ
前記洗浄液Ｂの表面張力は、前記インクＢの表面張力以上である
ことを特徴とするインクの交換方法。
【請求項２】
前記洗浄液Ａは、前記洗浄液Ｂよりも表面張力が低いことを特徴とする請求項１記載のインクの交換方法。
【請求項３】
前記インクジェット印刷装置は、表示機構を有し、
前記表示機構は、インクカートリッジの識別情報に応じて、インク交換の交換手順を表示し、前記交換手順にしたがってインクの交換を行うことを特徴とする請求項１または２に記載のインクの交換方法。
【請求項４】
前記インクジェット印刷装置は、表示機構およびインクカートリッジを識別する機構を有し、
前記識別する機構により感知されるインクカートリッジの識別情報に応じて、前記表示機構はインク交換の交換手順を表示し、前記交換手順にしたがってインクの交換を行うことを特徴とする請求項１〜３のいずれかに記載のインクの交換方法。
【請求項５】
前記洗浄液Ａは、前記洗浄液Ｂよりも乾燥速度が遅いことを特徴とする請求項１〜４のいずれかに記載のインクの交換方法。
【請求項６】
前記インクＡ、前記インクＢ、前記洗浄液Ａおよび前記洗浄液Ｂは水を含有し、さらに、前記洗浄液Ａは沸点が２５０℃以上の水溶性有機溶剤を含有することを特徴とする請求項１〜５のいずれかに記載のインクの交換方法。
【請求項７】
インクと洗浄液とを有するインクジェット印刷装置において、
前記インクは、インクＡおよびインクＢを含み、
前記洗浄液は、前記インクＡに対し親和性の高い洗浄液Ａおよび前記インクＢに対し親和性の高い洗浄液Ｂを含み、
前記洗浄液Ａの表面張力は、前記インクＡの表面張力以上であり、
前記洗浄液Ｂの表面張力は、前記インクＢの表面張力以上であり、
少なくとも前記インクジェット印刷装置に充填されている前記インクＡを、交換すべき前記インクＢに交換する機構を有し、
前記交換する機構は、前記インクＡが存在する少なくとも１部または全部の箇所を、前記インクＡに対し親和性の高い洗浄液Ａにより洗浄する工程（１）と、前記工程（１）後、前記洗浄液Ａが存在する少なくとも１部または全部の箇所を、前記インクＢに対し親和性の高い洗浄液Ｂにより洗浄する工程（２）と、前記工程（２）後、前記洗浄液Ｂが存在する少なくとも１部または全部の箇所を、前記インクＢにより置換する工程（３）とを実施可能に構成されている
ことを特徴とするインクジェット印刷装置。
【請求項８】
前記インクジェット印刷装置は、表示機構を有し、前記表示機構は、インクカートリッジの識別情報に応じて、インク交換の交換手順を表示することを特徴とする請求項７に記載のインクジェット印刷装置。
【請求項９】
前記インクジェット印刷装置は、表示機構およびインクカートリッジを識別する機構を有し、前記識別する機構により感知されるインクカートリッジの識別情報に応じて、前記表示機構はインク交換の交換手順を表示することを特徴とする請求項７または８に記載のインクジェット印刷装置。
【発明の詳細な説明】
【技術分野】
【０００１】
本発明は、インクの交換方法およびインクジェット印刷装置に関する。
【背景技術】
【０００２】
インクジェット印刷装置は、低騒音、低ランニングコスト、カラー印刷が容易などの利点を有するため、デジタル信号の出力機器として一般家庭に広く普及している。近年、インクジェット印刷装置は、家庭用のみならず、産業用にも使用されており、連帳紙を用いた高速印刷機、Ａ０版を印字する大判印刷機、布帛や縫製品に対するデジタル印刷機などに利用されている。
このような産業用途の場合、記録媒体の種類、発色性、耐候性、生産速度、印刷コストなどの要望に応じて使用しているインクを交換して印刷することが行われている。従来のインクの交換は、交換されるインク間の種類が限定される。すなわち、交換されるインク間の溶剤組成が近く、両者の混合の影響が軽微なものであることが必要である。交換されるインク間で特性（例えば溶剤組成）が大幅に異なる場合、印字ヘッドやインク供給路における交換時のインク混合に伴って、好ましくない化学反応やインク中分散物の分散状態の変化が引き起こされインクの凝集という現象が生じ、インク交換の影響が大きくなってしまう。
【０００３】
特許文献１には、前記問題点を解決するために、インクを交換する際に、残存する交換前のインクを気体の供給により印字ヘッドから押出し、さらに洗浄液を用いて洗浄し、再度、気体の供給により洗浄液を印字ヘッドから排出し、新たなインクに交換する手法が開示されている。
【発明の概要】
【発明が解決しようとする課題】
【０００４】
上述のように、従来技術では、交換されるインク間の種類が限定され、インク交換の自由度が低いという問題点があった。
また、特許文献１に開示された手法では、作業工数が非常に多くなるとともに、近年の装置は多ノズル、多ヘッド化しており、印字ヘッドへ気体、インクおよび洗浄液をすべて十分に供給するのは容易ではないという問題点があった。
【０００５】
したがって本発明の目的は、インクジェット印刷装置におけるインクの交換を行う際に、交換されるインク間の混合に伴う凝集等の不具合を引き起こさず、安定的にかつ効率的にインクの交換が行えるインクの交換方法を提供することにある。
【課題を解決するための手段】
【０００６】
上記課題は、下記構成１）により解決される。
１）  インクジェット印刷装置に充填されるインクの交換方法において、
前記インクの交換方法は、少なくとも前記インクジェット印刷装置に充填されているインクＡを、交換すべきインクＢに交換する方法であり、
前記インクＡが存在する少なくとも１部または全部の箇所を、前記インクＡに対し親和性の高い洗浄液Ａにより洗浄する工程（１）と、
前記工程（１）後、前記洗浄液Ａが存在する少なくとも１部または全部の箇所を、前記インクＢに対し親和性の高い洗浄液Ｂにより洗浄する工程（２）と、
前記工程（２）後、前記洗浄液Ｂが存在する少なくとも１部または全部の箇所を、前記インクＢにより置換する工程（３）と、
を有し、
前記洗浄液Ａの表面張力は、前記インクＡの表面張力以上であり、かつ
前記洗浄液Ｂの表面張力は、前記インクＢの表面張力以上である
ことを特徴とするインクの交換方法。
【発明の効果】
【０００７】
本発明によれば、インクジェット印刷装置におけるインクの交換を行う際に、交換されるインク間の混合に伴う凝集等の不具合を引き起こさず、安定的にかつ効率的にインクの交換が行えるインクの交換方法を提供できる。
【図面の簡単な説明】
【０００８】
【図１】本発明で使用されるインクカートリッジの一例を説明するための図である。
【図２】本発明で使用されるインクカートリッジの一例を説明するための図である。
【図３】本発明のインクの交換方法を好適に実施可能なシリアル型インクジェット印刷装置を説明するための図である。
【図４】本発明のインクの交換方法を好適に実施可能なシリアル型インクジェット印刷装置を説明するための図である。
【図５】本発明におけるインクジェット印刷装置の制御部の全体ブロック説明図である。
【発明を実施するための形態】
【０００９】
以下、本発明の実施形態について詳細に説明する。
本発明のインクの交換方法は、少なくとも前記インクジェット印刷装置に充填されているインクＡを、交換すべきインクＢに交換する方法であり、
前記インクＡが存在する少なくとも１部または全部の箇所を、前記インクＡに対し親和性の高い洗浄液Ａにより洗浄する工程（１）と、
前記工程（１）後、前記洗浄液Ａが存在する少なくとも１部または全部の箇所を、前記インクＢに対し親和性の高い洗浄液Ｂにより洗浄する工程（２）と、
前記工程（２）後、前記洗浄液Ｂが存在する少なくとも１部または全部の箇所を、前記インクＢにより置換する工程（３）と、
を有し、
前記洗浄液Ａの表面張力は、前記インクＡの表面張力以上であり、かつ
前記洗浄液Ｂの表面張力は、前記インクＢの表面張力以上である
ことを特徴とする。
【００１０】
本発明における前記工程（１）は、前記インクＡが存在する少なくとも１部または全部の箇所を、前記インクＡに対し親和性の高い洗浄液Ａにより洗浄する工程である。
インクＡに対し親和性の高い洗浄液Ａにより洗浄することによって、インクＡ由来のインク成分の固化や凝集を抑制することができ、安定して装置内からインクＡを取り除くことができる。
一般的に従来技術では、装置内からインクＡを完全に除去するためには、多量の洗浄液Ａを必要とし、かつかなりの時間も必要となる。本発明では、洗浄液Ａの表面張力をインクＡの表面張力以上とすることで、インクＡと比較し、置換後の液（インクＡと洗浄液Ａの混合液）の表面張力を高くすることができる。一般的に表面張力が低い液体は様々な部材への濡れ性が高くなり、インクや、インクと洗浄液の混合液が、インクの流路を形成する部材やインクを吐出する印字ヘッドのノズル表面等の流路外に存在する部材にも吸着されやすい。またノズル面を払拭部材で拭くなどのメンテナンスを行っても液が残留しやすい。さらにノズル表面等の流路外にインクＡの成分が残留することで、インク置換後にインクＡの影響が残りやすくなる。しかし本発明によれば、洗浄液Ａの表面張力をインクＡの表面張力以上とすることで、インクＡが存在する少なくとも１部または全部の箇所、例えばインクの流路を形成する部材やノズル表面等の流路外にインクＡの成分が残留することを抑制し、インクＡの残留の影響を小さくすることができる。
【００１１】
本発明における前記工程（２）は、前記工程（１）後、前記洗浄液Ａが存在する少なくとも１部または全部の箇所を、前記インクＢに対し親和性の高い洗浄液Ｂにより洗浄する工程である。
洗浄液Ａから洗浄液Ｂへ置換することで、インクＡの影響を小さくした状態で洗浄液Ｂに置換することができ、インクＡの影響をより小さい状態に置換することができる。
【００１２】
本発明における前記工程（３）は、前記工程（２）後、前記洗浄液Ｂが存在する少なくとも１部または全部の箇所を、前記インクＢにより置換する工程である。
洗浄液ＢはインクＢに対し親和性が高いため、インクＢは凝集することなく置換される。このとき洗浄液Ｂの表面張力をインクＢの表面張力以上とすることで、インクＢに洗浄液Ｂが少量残った場合でもインクＢの表面張力が異常に低下することがなく、吐出性やメンテナンス性に悪影響を示さない。
【００１３】
このように本発明の前記工程（１）〜（３）を経ることにより、混合すると凝集するインクＡとインクＢであっても、安定的にインクを交換することが可能となる。また本発明のインクの交換方法は、液体同士の交換であるため、印字ヘッド内に気体を入れることなくインクを交換することができる。印字ヘッド内に気体を入れてしまうと多数ある各個別液室やヘッド内フィルターに気体が残存し、印字の際にはこれら気体をインクに置換する必要があるが、一度のインク充填動作で完全に気体からインクへと置換充填させることは困難である。本発明のインクの交換方法では、液体を連続して置換するため印字ヘッド内に気体を入れることなくインクの交換が可能であり、気体を供給する従来技術に比べて、交換されるインク間の混合に伴う凝集等の不具合を引き起こさず、安定的にかつ効率的にインクの交換を行うことができる。
【００１４】
また本発明では、前記洗浄液Ａは、前記洗浄液Ｂよりも表面張力が低いことが好ましい。このような形態によれば、置換後の液の表面張力を高くすることができ、洗浄液Ｂに置換した際に残存したインクＡや洗浄液Ａの悪影響を防止することができる。一方、洗浄液Aが洗浄液Bより表面張力が高い場合、洗浄液Aと混ざりながら洗浄液Bが、吐出ヘッドを構成する部材の表面など界面に馴染みやすくなり、洗浄液Bへの置換が進みやすくなる。そして洗浄液Bに置換した際に洗浄液Aの残留量が少なるためインクAや洗浄液Aの影響を下げることが出来る。
【００１５】
また本発明では、インクジェット印刷装置が表示機構を有し、前記表示機構は、インクカートリッジの識別情報に応じて、インク交換の交換手順を表示し、前記交換手順にしたがってインクの交換を行うことが好ましい。
表示機構が交換手順を表示することで、ユーザーが洗浄液Ａ、洗浄液Ｂ、インクＢを手順通りに、必要とされるタイミングで間違えなく装置に取り付けることが可能となる。また必要な液種が表示されることで、ユーザーがインク交換に必要とされる液種を把握でき、インク交換を実行する前にそれぞれの液に対応した、洗浄液やインクカートリッジを準備することができる。事前にこれらの液種が準備できていない場合、インク交換の作業の途中で動作が止まってしまい、無駄なダウンタイムを発生させてしまう恐れがあるが、本発明の上記好適な形態によれば、インク交換に伴うダウンタイムを最低限に留めることができる。
【００１６】
また本発明では、インクジェット印刷装置が表示機構およびインクカートリッジを識別する機構を有し、前記識別する機構により感知されるインクカートリッジの識別情報に応じて、前記表示機構はインク交換の交換手順を表示し、前記交換手順にしたがってインクの交換を行うことが好ましい。
このような形態によれば、より円滑にインクの交換を行うことができる。例えばユーザーが誤ったインクカートリッジを装置に取り付けても表示機構が交換手順の不適合を示すことができ、インク交換動作を中止するとともに正しいインクカートリッジの付け替えをユーザーに促すことが可能となる。
また、光学式（バーコード）や、ＲＦＩＤなどにより、識別を装置に接触することなく行うことができる場合、即ち、識別する機構が非接触によりインクカートリッジの識別情報を感知する場合は、インクカートリッジを装置に完全に取り付ける前にインクカートリッジが適切か否かを判定し、取り付けが不適当である場合は表示機構を通じて取り付けの誤りを示すことができる。したがって、ユーザーが誤ったインクカートリッジを取り付けることを未然に防止することが可能となる。
【００１７】
またインクジェット印刷装置には、インクカートリッジ取り付け抑制機構を設けることもできる。インクカートリッジ取り付け抑制機構は、カートリッジ扉のロック解除や差し込み抑制が可能であり、誤ったインクカートリッジを感知された場合はロック解除を行わず、もしくは差し込み抑制を行うことで、ユーザーが誤ってインクカートリッジを取り付けることを抑制することが可能となる。
【００１８】
また本発明では、前記洗浄液Ａは、前記洗浄液Ｂよりも乾燥速度が遅いことが好ましい。前記工程（１）において、インクＡから洗浄液Ａに置換した状態ではインクＡの残渣が存在している可能性がある。長期間にわたりインクジェット印刷装置を稼働させない場合、該装置をインクを抜いた状態に置くことがしばしば行われるが、従来技術ではこの非稼働期間にインクＡの残渣が乾燥して装置内外の各部材に固着するという問題点があった。本発明では洗浄液の乾燥性を洗浄液Ｂよりも遅くすることにより、インクＡの残渣の存在可能性のある洗浄液Ａ置換状態（インクAと洗浄液Aの混合液が存在する状態）の乾燥性を遅くし、インクＡ残渣の、例えば吐出ヘッドを構成する部材への固着を抑制することができる。
【００１９】
また本発明では、前記インクＡ、前記インクＢ、前記洗浄液Ａおよび前記洗浄液Ｂは水を含有し、さらに、前記洗浄液Ａは沸点が２５０℃以上の水溶性有機溶剤を含有することが好ましい。この形態では、各液種が水を含有することで、乾燥性に優れ、臭気が少なく、かつ安全性が高い液種を提供でき、ユーザーの取扱い性が向上する。また、洗浄液Ａが沸点２５０℃以上の水溶性有機溶剤を含有することにより、乾燥を抑制することができ、上述のようなインクＡの固着を抑制し安定的にインクを交換することができる。
【００２０】
＜インクおよび洗浄液＞
以下、インクＡまたはＢ、および洗浄液に用い得る各種成分について説明する。
【００２１】
＜インク＞
本発明に用いられるインク（インクＡまたはＢを含む。以下同様）としては、インクジェット印刷装置に用いられるものであって、吐出温度においてインクジェットヘッド（印字ヘッド）から吐出可能な粘度を有する液体である。前記条件を満たし、かつインク流路で詰まるような粗大粒子を含まないものであればインクとして使用することができる。
このようなインクとしては、水を主成分とする液体を連続層とする水系インク、液体の低分子有機化合物を主成分とする液体を連続層とする油系インク、ワックスなどの溶解性高分子を主成分とする常温固体だが高温時に液体となるものを連続層とするソリッドインクなどがある。なお、インクは水を含有するものが好ましいことは、上述の通りである。
このようなインクは、必要に応じて公知の色材、樹脂微粒子、界面活性剤、有機溶剤、浸透剤、反応性化合物、反応開始剤、消泡剤、その他添加剤を配合することができ、配合量は印字を目的とした機能を発現するために最適化されればよい。
【００２２】
＜色材＞
色材としては特に限定されず、顔料、染料を使用可能である。
顔料としては、無機顔料又は有機顔料を使用することができる。これらは、１種単独で用いても良く、２種以上を併用しても良い。また、混晶を使用しても良い。
顔料としては、例えば、ブラック顔料、イエロー顔料、マゼンダ顔料、シアン顔料、白色顔料、緑色顔料、橙色顔料、金色や銀色などの光沢色顔料やメタリック顔料などを用いることができる。
無機顔料として、酸化チタン、酸化鉄、炭酸カルシウム、硫酸バリウム、水酸化アルミニウム、バリウムイエロー、カドミウムレッド、クロムイエローに加え、コンタクト法、ファーネス法、サーマル法などの公知の方法によって製造されたカーボンブラックを使用することができる。
また、有機顔料としては、アゾ顔料、多環式顔料（例えば、フタロシアニン顔料、ペリレン顔料、ペリノン顔料、アントラキノン顔料、キナクリドン顔料、ジオキサジン顔料、インジゴ顔料、チオインジゴ顔料、イソインドリノン顔料、キノフタロン顔料など）、染料キレート（例えば、塩基性染料型キレート、酸性染料型キレートなど）、ニトロ顔料、ニトロソ顔料、アニリンブラックなどを使用できる。これらの顔料のうち、溶媒と親和性の良いものが好ましく用いられる。その他、樹脂中空粒子、無機中空粒子の使用も可能である。
顔料の具体例として、黒色用としては、ファーネスブラック、ランプブラック、アセチレンブラック、チャンネルブラック等のカーボンブラック（Ｃ．Ｉ．ピグメントブラック７）類、または銅、鉄（Ｃ．Ｉ．ピグメントブラック１１）、酸化チタン等の金属類、アニリンブラック（Ｃ．Ｉ．ピグメントブラック１）等の有機顔料があげられる。
さらに、カラー用としては、Ｃ．Ｉ．ピグメントイエロー１、３、１２、１３、１４、１７、２４、３４、３５、３７、４２（黄色酸化鉄）、５３、５５、７４、８１、８３、９５、９７、９８、１００、１０１、１０４、１０８、１０９、１１０、１１７、１２０、１３８、１５０、１５３、１５５、１８０、１８５、２１３、Ｃ．Ｉ．ピグメントオレンジ５、１３、１６、１７、３６、４３、５１、Ｃ．Ｉ．ピグメントレッド１、２、３、５、１７、２２、２３、３１、３８、４８：２、４８：２（パーマネントレッド２Ｂ（Ｃａ））、４８：３、４８：４、４９：１、５２：２、５３：１、５７：１（ブリリアントカーミン６Ｂ）、６０：１、６３：１、６３：２、６４：１、８１、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８４、１８５、１９０、１９３、２０２、２０７、２０８、２０９、２１３、２１９、２２４、２５４、２６４、Ｃ．Ｉ．ピグメントバイオレット１（ローダミンレーキ）、３、５：１、１６、１９、２３、３８、Ｃ．Ｉ．ピグメントブルー１、２、１５（フタロシアニンブルー）、１５：１、１５：２、１５：３、１５：４（フタロシアニンブルー）、１６、１７：１、５６、６０、６３、Ｃ．Ｉ．ピグメントグリーン１、４、７、８、１０、１７、１８、３６、等がある。
染料としては、特に限定されることなく、酸性染料、直接染料、反応性染料、及び塩基性染料が使用可能であり、１種単独で用いてもよく、２種以上を併用してもよい。
前記染料として、例えば、Ｃ．Ｉ．アシッドイエロー １７，２３，４２，４４，７９，１４２、Ｃ．Ｉ．アシッドレッド ５２，８０，８２，２４９，２５４，２８９、Ｃ．Ｉ．アシッドブルー ９，４５，２４９、Ｃ．Ｉ．アシッドブラック １，２，２４，９４、Ｃ．Ｉ．フードブラック １，２、Ｃ．Ｉ．ダイレクトイエロー １，１２，２４，３３，５０，５５，５８，８６，１３２，１４２，１４４，１７３、Ｃ．Ｉ．ダイレクトレッド １，４，９，８０，８１，２２５，２２７、Ｃ．Ｉ．ダイレクトブルー １，２，１５，７１，８６，８７，９８，１６５，１９９，２０２、Ｃ．Ｉ．ダイレクドブラック １９，３８，５１，７１，１５４，１６８，１７１，１９５、Ｃ．Ｉ．リアクティブレッド １４，３２，５５，７９，２４９、Ｃ．Ｉ．リアクティブブラック ３，４，３５が挙げられる。
【００２３】
インク中の色材の含有量は、画像濃度の向上、良好な定着性や吐出安定性の点から、０．１質量％以上１５質量％以下が好ましく、より好ましくは１質量％以上１０質量％以下である。
【００２４】
＜顔料分散体＞
顔料に、水や有機溶剤などの材料を混合してインクを得ることが可能である。また、顔料と、その他水や分散剤などを混合して顔料分散体としたものに、水や有機溶剤などの材料を混合してインクを製造することも可能である。
前記顔料分散体は、水、顔料、顔料分散剤、必要に応じてその他の成分を混合、分散し、粒径を調整して得られる。分散は分散機を用いると良い。
顔料分散体における顔料の粒径については特に制限はないが、顔料の分散安定性が良好となり、吐出安定性、画像濃度などの画像品質も高くなる点から、最大個数換算で最大頻度が２０ｎｍ以上５００ｎｍ以下が好ましく、２０ｎｍ以上１５０ｎｍ以下がより好ましい。顔料の粒径は、粒度分析装置（ナノトラック  Ｗａｖｅ−ＵＴ１５１、マイクロトラック・ベル株式会社製）を用いて測定することができる。
前記顔料分散体における顔料の含有量は、特に制限はなく、目的に応じて適宜選択することができるが、良好な吐出安定性が得られ、また、画像濃度を高める点から、０．１質量％以上５０質量％以下が好ましく、０．１質量％以上３０質量％以下がより好ましい。
前記顔料分散体は、必要に応じて、フィルター、遠心分離装置などで粗大粒子をろ過し、脱気することが好ましい。
【００２５】
＜樹脂＞
インク中に含有する樹脂の種類としては、特に制限はなく、目的に応じて適宜選択することができ、例えば、ウレタン樹脂、ポリエステル樹脂、アクリル系樹脂、酢酸ビニル系樹脂、スチレン系樹脂、ブタジエン系樹脂、スチレン−ブタジエン系樹脂、塩化ビニル系樹脂、アクリルスチレン系樹脂、アクリルシリコーン系樹脂などが挙げられる。
これらの樹脂からなる樹脂粒子を用いても良い。樹脂粒子を、水を分散媒として分散した樹脂エマルションの状態で、色材や有機溶剤などの材料と混合してインクを得ることが可能である。前記樹脂粒子としては、適宜合成したものを使用してもよいし、市販品を使用してもよい。また、これらは、１種を単独で用いても、２種類以上の樹脂粒子を組み合わせて用いてもよい。
【００２６】
樹脂粒子の体積平均粒径としては、特に制限はなく、目的に応じて適宜選択することができるが、良好な定着性、高い画像硬度を得る点から、１０ｎｍ以上１，０００ｎｍ以下が好ましく、１０ｎｍ以上２００ｎｍ以下がより好ましく、１０ｎｍ以上１００ｎｍ以下が特に好ましい。
前記体積平均粒径は、例えば、粒度分析装置（ナノトラック  Ｗａｖｅ−ＵＴ１５１、マイクロトラック・ベル株式会社製）を用いて測定することができる。
【００２７】
樹脂の含有量としては、特に制限はなく、目的に応じて適宜選択することができるが、定着性、インクの保存安定性の点から、インク全量に対して、１質量％以上３０質量％以下が好ましく、５質量％以上２０質量％以下がより好ましい。
【００２８】
インク中の固形分の粒径については、特に制限はなく、目的に応じて適宜選択することができるが、吐出安定性、画像濃度などの画像品質を高くする点から、最大個数換算で最大頻度が２０ｎｍ以上１０００ｎｍ以下が好ましく、２０ｎｍ以上１５０ｎｍ以下がより好ましい。固形分は樹脂粒子や顔料の粒子等が含まれる。粒径は、粒度分析装置（ナノトラック  Ｗａｖｅ−ＵＴ１５１、マイクロトラック・ベル株式会社製）を用いて測定することができる。
【００２９】
＜界面活性剤＞
界面活性剤としては、シリコーン系界面活性剤、フッ素系界面活性剤、両性界面活性剤、ノニオン系界面活性剤、アニオン系界面活性剤のいずれも使用可能である。
シリコーン系界面活性剤には特に制限はなく目的に応じて適宜選択することができる。中でも高ｐＨでも分解しないものが好ましく、例えば、側鎖変性ポリジメチルシロキサン、両末端変性ポリジメチルシロキサン、片末端変性ポリジメチルシロキサン、側鎖両末端変性ポリジメチルシロキサン等が挙げられ、変性基としてポリオキシエチレン基、ポリオキシエチレンポリオキシプロピレン基を有するものが、水系界面活性剤として良好な性質を示すので特に好ましい。また、前記シリコーン系界面活性剤として、ポリエーテル変性シリコーン系界面活性剤を用いることもでき、例えば、ポリアルキレンオキシド構造をジメチルシロキサンのＳｉ部側鎖に導入した化合物等が挙げられる。
フッ素系界面活性剤としては、例えば、パーフルオロアルキルスルホン酸化合物、パーフルオロアルキルカルボン酸化合物、パーフルオロアルキルリン酸エステル化合物、パーフルオロアルキルエチレンオキサイド付加物及びパーフルオロアルキルエーテル基を側鎖に有するポリオキシアルキレンエーテルポリマー化合物が、起泡性が小さいので特に好ましい。前記パーフルオロアルキルスルホン酸化合物としては、例えば、パーフルオロアルキルスルホン酸、パーフルオロアルキルスルホン酸塩等が挙げられる。前記パーフルオロアルキルカルボン酸化合物としては、例えば、パーフルオロアルキルカルボン酸、パーフルオロアルキルカルボン酸塩等が挙げられる。前記パーフルオロアルキルエーテル基を側鎖に有するポリオキシアルキレンエーテルポリマー化合物としては、パーフルオロアルキルエーテル基を側鎖に有するポリオキシアルキレンエーテルポリマーの硫酸エステル塩、パーフルオロアルキルエーテル基を側鎖に有するポリオキシアルキレンエーテルポリマーの塩等が挙げられる。これらフッ素系界面活性剤における塩の対イオンとしては、Ｌｉ、Ｎａ、Ｋ、ＮＨ４、ＮＨ３ＣＨ２ＣＨ２ＯＨ、ＮＨ２（ＣＨ２ＣＨ２ＯＨ）２、ＮＨ（ＣＨ２ＣＨ２ＯＨ）３等が挙げられる。
両性界面活性剤としては、例えばラウリルアミノプロピオン酸塩、ラウリルジメチルベタイン、ステアリルジメチルベタイン、ラウリルジヒドロキシエチルベタインなどが挙げられる。
ノニオン系界面活性剤としては、例えば、ポリオキシエチレンアルキルフェニルエーテル、ポリオキシエチレンアルキルエステル、ポリオキシエチレンアルキルアミン、ポリオキシエチレンアルキルアミド、ポリオキシエチレンプロピレンブロックポリマー、ソルビタン脂肪酸エステル、ポリオキシエチレンソルビタン脂肪酸エステル、アセチレンアルコールのエチレンオキサイド付加物などが挙げられる。
アニオン系界面活性剤としては、例えば、ポリオキシエチレンアルキルエーテル酢酸塩、ドデシルベンゼンスルホン酸塩、ラウリル酸塩、ポリオキシエチレンアルキルエーテルサルフェートの塩、などが挙げられる。
これらは、１種を単独で用いても、２種以上を併用してもよい。
【００３０】
インク中における界面活性剤の含有量としては、特に制限はなく、目的に応じて適宜選択することができるが、濡れ性、吐出安定性に優れ、画像品質が向上する点から、０．００１質量％以上５質量％以下が好ましく、０．０５質量％以上5質量％以下がより好ましい。
【００３１】
＜消泡剤＞
消泡剤としては、特に制限はなく、例えば、シリコーン系消泡剤、ポリエーテル系消泡剤、脂肪酸エステル系消泡剤などが挙げられる。これらは、１種を単独で用いても、２種以上を併用してもよい。これらの中でも、破泡効果に優れる点から、シリコーン系消泡剤が好ましい。
【００３２】
＜防腐防黴剤＞
防腐防黴剤としては、特に制限はなく、例えば、１，２−ベンズイソチアゾリン−３−オンなどが挙げられる。
【００３３】
＜防錆剤＞
防錆剤としては、特に制限はなく、例えば、酸性亜硫酸塩、チオ硫酸ナトリウムなどが挙げられる。
【００３４】
＜ｐＨ調整剤＞
ｐＨ調整剤としては、ｐＨを７以上に調整することが可能であれば、特に制限はなく、ジエタノールアミン、トリエタノールアミン等のアミンなどが挙げられる。
【００３５】
インクの物性としては、特に制限はなく、目的に応じて適宜選択することができ、例えば、粘度、表面張力、ｐＨ等が以下の範囲であることが好ましい。
インクの２５℃での粘度は、印字濃度や文字品位が向上し、また、良好な吐出性が得られる点から、５ｍＰａ・ｓ以上３０ｍＰａ・ｓ以下が好ましく、５ｍＰａ・ｓ以上２５ｍＰａ・ｓ以下がより好ましい。ここで、粘度は、例えば回転式粘度計（東機産業社製ＲＥ−８０Ｌ）を使用することができる。測定条件としては、２５℃で、標準コーンローター（１°３４’×Ｒ２４）、サンプル液量１．２ｍＬ、回転数５０ｒｐｍ、３分間で測定可能である。
インクの表面張力としては、記録媒体上で好適にインクがレベリングされ、インクの乾燥時間が短縮される点から、２５℃で、３５ｍＮ／ｍ以下が好ましく、３２ｍＮ／ｍ以下がより好ましい。
インクのｐＨとしては、接液する金属部材の腐食防止の観点から、７〜１２が好ましく、８〜１１がより好ましい。
【００３６】
＜洗浄液＞
本発明に用いられる洗浄液（洗浄液ＡまたはＢを含む。以下同様）としては、インクジェット装置のインク流路（印字ヘッドを含む）を洗浄し、インクを押し流す機能が必要とされる。インク流路の洗浄にはインクと混合置換しながらインク成分をインク流路から剥離させることが求められる。このとき洗浄液によってインク流路の部材を劣化させないことが求められる。
また、洗浄液は、インクと親和性を有するものが好ましい。この条件を満たすことにより、インク流路内のインクから洗浄液への置換が短時間で行われる。また、洗浄液中に残存したインクが凝集し、印字ヘッドのノズルやフィルターに吸着し、吐出不良や抵抗の増加を引き起こすことが防止される。
洗浄液には、必要に応じて、前記界面活性剤、有機溶剤、浸透剤、消泡剤、その他添加剤を配合することができ、配合量は印字を目的とした機能を発現するために最適化されればよい。
【００３７】
＜親和性＞
本発明では、インクＡと洗浄液Ａとが、かつ、インクＢと洗浄液Ｂとが親和性を有する必要がある。
ここで本発明で言う親和性について説明する。
親和性は、インクと洗浄液とを混合し、得られた混合液の状態変化から判断できる。
具体的には、前記混合液が単一層である場合は親和性が高く、二層に分離する場合は親和性が低いといえる。またインクまたは洗浄液が複数層からなるもの、すなわち溶質のすべてが溶媒に溶解せず複数の異なる層が形成されている場合、前記混合液を形成しても前記異なる層の状態に変動が認められないものは親和性が高く、変動が認められるものは親和性が低いといえる。
一方、親和性は、前記混合液に含まれる成分の凝集や析出が生じているか、否かで判断することもできる。具体的には、前記混合液に含まれる粒子の粒子径を測定することにより前記判断が可能である。粒子径の増大は印字ヘッドのノズルやフィルター詰まりを促すため、混合液に含まれる分散粒子の９０％累積体積粒径（Ｄ９０）としては、１μｍ以下であることが好ましく、６００ｎｍ以下であることがさらに好ましい。Ｄ９０が１μｍ以下であると、インクと洗浄液との親和性が高いと判断され、本発明の前記工程（１）〜（３）を行った後に印字ヘッドのノズルやフィルター詰まりが生じない。またＤ９０が６００ｎｍ以下であると粒子の大きさがヘッド内流路や印字ヘッドのノズルに対して充分に小さいため、安定して液をヘッドから排出することができる。なお、Ｄ９０は混合液中の粒子の二次粒子径である。Ｄ９０は、混合液中の粒子の直径、存在数を求める測定を行い、結果を統計的に処理して得られる粒径加積曲線から、総質量の９０％となるときの粒子の直径を指す。該当する粒子の直径は、粒子自身の直径であってもよいし、粒子がコロイド状で分散している場合には、粒子コロイドの直径であってもよい。
粒子の直径は、溶媒中分散状態であるなら、例えば、動的光散乱法に基づく粒子径分布測定装置を使用することによって求めることができる。動的光散乱法による粒子径分布測定装置としては、例えば、ナノトラック  Ｗａｖｅ−ＵＴ１５１（マイクロトラック・ベル株式会社製）、ナノトラック  Ｗａｖｅ−ＥＸ１５０（日機装株式会社製）、ＥＬＳＺ−２、ＤＬＳ−８０００（以上、大塚電子株式会社製）、ＬＢ−５５０（株式会社堀場製作所製）などが挙げられる。
なお、前記以外でも電子顕微鏡法によってＤ９０を求めることができる。前記電子顕微鏡により粒子の写真を得て、この写真を画像処理して計測することにより、粒子の直径を求めることができる。一例として、写真よりランダムに写真中の５０個以上の粒子の面積を求め、同等となる円の直径を計算し粒子径として求める。そして得られた粒子径から粒径加積曲線を求めることができる。
【００３８】
＜有機溶剤＞
本発明に用いられるインクおよび／または洗浄液は、有機溶剤を含むことができる。
本発明に使用する有機溶剤としては特に制限されず、水溶性有機溶剤を用いることができる。例えば、多価アルコール類、多価アルコールアルキルエーテル類や多価アルコールアリールエーテル類などのエーテル類、含窒素複素環化合物、アミド類、アミン類、含硫黄化合物類が挙げられる。
水溶性有機溶剤の具体例としては、例えば、エチレングリコール、ジエチレングリコール、１，２−プロパンジオール、１，３−プロパンジオール、１，２−ブタンジオール、１，３−ブタンジオール、１，４−ブタンジオール、２，３−ブタンジオール、３−メチル−１，３−ブタンジオール、トリエチレングリコール、ポリエチレングリコール、ポリプロピレングリコール、１，２−ペンタンジオール、１，３−ペンタンジオール、１，４−ペンタンジオール、２，４−ペンタンジオール、１，５−ペンタンジオール、１，２−ヘキサンジオール、１，６−ヘキサンジオール、１，３−ヘキサンジオール、２，５−ヘキサンジオール、１，５−ヘキサンジオール、グリセリン、１，２，６−ヘキサントリオール、２−エチル−１，３−ヘキサンジオール、エチル−１，２，４−ブタントリオール、１，２，３−ブタントリオール、２，２，４−トリメチル−１，３−ペンタンジオール、ペトリオール等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノメチルエーテル、プロピレングリコールモノエチルエーテル等の多価アルコールアルキルエーテル類、エチレングリコールモノフェニルエーテル、エチレングリコールモノベンジルエーテル等の多価アルコールアリールエーテル類、トリメチルペンタンジオールモノイソブチレート等のエーテル、２−ピロリドン、Ｎ−メチル−２−ピロリドン、Ｎ−ヒドロキシエチル−２−ピロリドン、１，３−ジメチル−２−イミダゾリジノン、ε−カプロラクタム、γ−ブチロラクトン等の含窒素複素環化合物、ホルムアミド、Ｎ−メチルホルムアミド、Ｎ，Ｎ−ジメチルホルムアミド、３−メトキシ−Ｎ，Ｎ-ジメチルプロピオンアミド、３−ブトキシ−Ｎ，Ｎ-ジメチルプロピオンアミド等のアミド類、モノエタノールアミン、ジエタノールアミン、トリエチルアミン等のアミン類、ジメチルスルホキシド、スルホラン、チオジエタノール等の含硫黄化合物、プロピレンカーボネート、炭酸エチレン等が挙げられる。
【００３９】
有機溶剤のインクおよび洗浄液中における含有量は、特に制限はなく、目的に応じて適宜選択することができるが、液の乾燥性及び部材への腐食性の点から、１０質量％以上８０質量％以下が好ましく、２０質量％以上６０質量％以下がより好ましい。
上述のように、とくに洗浄液Ａは沸点が２５０℃以上の水溶性有機溶剤を含有することが好ましく、洗浄液Ａ中の沸点が２５０℃以上の水溶性有機溶剤の含有量は、例えば１質量％以上、２０質量％以下が好ましい。
【００４０】
＜水＞
インクおよび洗浄液における水の含有量は、特に制限はなく、目的に応じて適宜選択することができるが、インクの乾燥性及び吐出信頼性の点から、１０質量％以上９０質量％以下が好ましく、２０質量％〜８０質量％がより好ましい。
【００４１】
＜インクおよび洗浄液の物性＞
インクＡの２３℃での表面張力は、１８〜３５ｍＮ／ｍが好ましく、２０〜２６ｍＮ／ｍがさらに好ましい。
洗浄液Ａの２３℃での表面張力は、インクＡに対する洗浄性や、インク流路やインジヘッドのノズル等の部材に対する濡れ性を確保する観点から、２０〜４５ｍＮ／ｍが好ましく、２５〜３５ｍＮ／ｍがさらに好ましい。
洗浄液ＡとインクＡの表面張力の差は、２〜２０ｍＮ／ｍが好ましく、５〜１０ｍＮ／ｍがさらに好ましい。
インクＢの２３℃での表面張力は、１８〜３５ｍＮ／ｍが好ましく、２０〜２６ｍＮ／ｍがさらに好ましい。
洗浄液Ｂの２３℃での表面張力は、インク流路やインジヘッドのノズル等の部材に対する濡れ性を確保する観点から、２０〜４５ｍＮ／ｍが好ましく、２５〜３５ｍＮ／ｍがさらに好ましい。
洗浄液ＢとインクＢの表面張力の差は、２〜２０ｍＮ／ｍが好ましく、５〜１０ｍＮ／ｍがさらに好ましい。
【００４２】
洗浄液Ｂと洗浄液Ａの表面張力の差は、２〜２０ｍＮ／ｍが好ましく、５〜１０ｍＮ／ｍがさらに好ましい。
なお、洗浄液Ａと洗浄液Ｂとは、親和性が高いことが好ましい。
【００４３】
表面張力は、例えば協和界面化学製表面張力計ＤＹ−３００にて、２３℃の条件で測定することができる。
【００４４】
また本発明では、洗浄液Ａは、前記洗浄液Ｂよりも乾燥速度が遅いことが好ましい。乾燥速度は、水分蒸発速度として計測することができ、具体的には、２３℃１０％ＲＨ無風環境下で、表面積２．５ｃｍ２となるように１ｇの液体をガラスシャーレに入れ、４００分後まで重量を測定し平均蒸発速度を計測することにより、両者の乾燥速度を把握することができる。
【００４５】
また洗浄液は、例えば、粘度、ｐＨ等が以下の範囲であることが好ましい。
洗浄液の２５℃での粘度は、洗浄性の面からインクより低いことが好ましく、インクとの混合およびインクの排出が進みやすい点から、１ｍＰａ・ｓ以上１０ｍＰａ・ｓ以下が好ましく、１ｍＰａ・ｓ以上５ｍＰａ・ｓ以下がより好ましい。ここで、粘度は、例えば回転式粘度計（東機産業社製ＲＥ−８０Ｌ）を使用することができる。測定条件としては、２５℃で、標準コーンローター（１°３４’×Ｒ２４）、サンプル液量１．２ｍＬ、回転数１００ｒｐｍ、３分間で測定可能である。
洗浄液のｐＨとしては、接液する金属部材の腐食防止の観点から、７〜１２が好ましく、８〜１１がより好ましい。
【００４６】
＜インクカートリッジ＞
本発明で使用されるインクカートリッジは、本発明のインクを容器中に収容してなり、更に必要に応じて適宜選択したその他の部材等を有してなる。またインクカートリッジには洗浄液を収容することもできる。
前記容器としては、特に制限はなく、目的に応じてその形状、構造、大きさ、材質等を適宜選択することができ、例えば、アルミニウムラミネートフィルム、樹脂フィルム等で形成されたインク袋などを少なくとも有するもの、などが好適に挙げられる。
【００４７】
次に、本発明で使用されるインクカートリッジの一例について、図１および図２を参照しながら説明する。
ここで、図１は、前記インクカートリッジを示す概略図であり、図２は、図１のインクカートリッジの変形例を示す概略図である。図１に示すように、インクカートリッジ２０１は、インクがインク注入口２４２からインク袋２４１内に充填され、排気した後、該インク注入口２４２が融着により閉じられる。使用時には、ゴム部材からなるインク排出口２４３に、インクジェット印刷装置の針が刺されて、前記インクジェット印刷装置に供給される。インク袋２４１は、透気性の低いアルミニウムラミネートフィルム等の包装部材により形成されている。このインク袋２４１は、図２に示すように、通常、プラスチック製のカートリッジケース２４４内に収容され、各種インクジェット印刷装置に着脱可能に装着して用いられるようになっている。前記インクカートリッジ２０１は、インクを収容し、各種インクジェット印刷装置に着脱可能に装着して用いることができ、また、後述するインクジェット印刷装置に着脱可能に装着して用いるのが特に好ましい。
【００４８】
＜記録媒体＞
記録媒体としては特に制限はなく、普通紙、光沢紙、特殊紙、布などを用いることもできるが、難吸水性記録媒体を用いても良好な画像形成が可能である。
前記難吸水性記録媒体とは、水透過性、及び吸収性が低い表面を有する記録媒体であり、内部に多数の空洞があっても外部に開口していない材質も含まれ、より定量的には、「ＪＡＰＡＮ  ＴＡＰＰＩ紙パルプ試験方法２０００年版」の規格Ｎｏ．５１「紙及び板紙−液体吸収性試験方法−ブリストー法」に記載されているブリストー（Ｂｒｉｓｔｏｗ）法において、接触開始から３０ｍｓｅｃ１／２までの水吸収量が１０ｍＬ／ｍ２以下である記録媒体をいう。
前記難吸水性記録媒体としては、例えば、塩化ビニル樹脂フィルム、ポリエチレンテレフタレート（ＰＥＴ）フィルム、ポリプロピレンフィルム、ポリエチレンフィルム、ポリカーボネートフィルム等のプラスチックフィルム、印刷用コート紙、アート紙などが挙げられる。これらは、１種単独で使用してもよく、２種以上を併用してもよい。これらの中でも、塩化ビニル樹脂フィルム、印刷用コート紙が好ましい。
本発明に使用されるインクは、難吸水性記録媒体だけでなく、普通紙やインクジェット用紙のような多孔質媒体及び無機物コート多孔質媒体など、従来用いられてきた多孔質媒体に対しても十分な性能を示すものを使用できる。
本発明に使用されるインクは、前記難吸水性記録媒体に高画像品質な印字ができるが、より一層高画質で耐擦性や接着性の高い画像を形成するため、及び高速の印字条件にも対応できるようにするために、印字後に記録媒体を加熱することがより好ましい。
【００４９】
＜インクジェット印刷装置＞
ここで、本発明のインクの交換方法を好適に実施可能なシリアル型インクジェット印刷装置について、図面を参照しながら説明する。  
図３に示すインクジェット印刷装置は、装置本体１０１と、装置本体１０１に用紙を装填するための給紙トレイ１０２と、装置本体１０１に装填され画像が形成（記録）された用紙をストックするための排紙トレイ１０３と、インクカートリッジ装填部１０４とを有する。インクカートリッジ装填部１０４の上面には、操作キーや表示器などの操作部１０５が配置されている。インクカートリッジ装填部１０４は、図１または２に示すインクカートリッジ２０１の脱着を行うための開閉可能な前カバーを有している。
装置本体１０１内には、図３および４に示すように、図示を省略している左右の側板に横架したガイド部材１６１であるガイドロッド１３１とサブガイドロッド１３２とが設けられている。そして、このガイドロッド１３１とサブガイドロッド１３２とでキャリッジ１３３を主走査方向に摺動自在に保持し、主走査モータによって図４で矢示方向に移動走査する。
キャリッジ１３３には、イエロー（Ｙ）、シアン（Ｃ）、マゼンタ（Ｍ）、ブラック（Ｂｋ）の各色のインクジェット用インク滴を吐出する４個のインクジェット記録用ヘッドが設けられている。キャリッジ１３３には、この４個のインクジェット記録用ヘッドからなる印字ヘッド１３４を、複数のインク吐出口を主走査方向と交叉する方向に配列し、インク滴吐出方向を下方に向けて装着している。
印字ヘッド１３４を構成するインクジェット記録用ヘッドとしては、例えば、次に挙げる手段を、インクを吐出するためのエネルギー発生手段として備えたものを用いることができる。
圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなど。
また、キャリッジ１３３には、印字ヘッド１３４に各色のインクを供給するための各色のサブタンク１３５を搭載している。サブタンク１３５には、図示しないインクジェット用インク供給チューブを介して、インクカートリッジ装填部１０４に装填されたインクカートリッジ２０１から前記インクジェット用インクが供給されて補充される。
一方、給紙トレイ１０２の用紙積載部（圧板）１４１上に積載した用紙１４２を給紙するための給紙部として、用紙積載部１４１から用紙１４２を１枚ずつ分離給送する半月コロ（給紙コロ１４３）が設けられている。また、更に給紙コロ１４３に対向し、摩擦係数の大きな材質からなる分離パッド１４４を備えている。この分離パッド１４４は給紙コロ１４３側に付勢されている。
この給紙部から給紙された用紙１４２を印字ヘッド１３４の下方側へ搬送するための搬送部では、用紙１４２をガイドコロ１５２を通じて給紙ローラ１５７とカウンターコロ１５４に送り、印字ヘッド１３４の下に搬送する。用紙１４２は給紙ローラ１５７とカウンターコロ１５４に保持されつつ搬送され、印字ヘッド１３４にて印字を行う。そして、印字が終了した用紙１４２は排紙ローラ１７２と拍車コロ１７３に保持され印字部から排出される。
印字は次のようにして行う。まず、印字ヘッド１３４下に搬送された用紙１４２に対しキャリッジ１３３を移動させながら画像信号に応じて印字ヘッド１３４を駆動し、停止している用紙１４２にインク滴を吐出して１行分を記録する。続いて、用紙１４２を所定量搬送後、次行の記録を行う。記録終了信号又は用紙１４２の後端が記録領域に到達した信号を受けることにより、記録動作を終了して、用紙１４２を排紙トレイ１０３に排紙する。なお、印字された用紙１４２は、拍車コロ１７１によって誘導されながら、温風ヒーター１８１、赤外線ヒーター１８２、裏面ヒーター１８３によって乾燥される。
【００５０】
次に、本発明におけるインクジェット印刷装置の制御部の概要について図５を参照して説明する。なお、同図は同制御部の全体ブロック説明図である。
この制御部は、ＣＰＵ、ＲＯＭ、ＲＡＭ、不揮発性メモリ（ＮＶＲＡＭ）、及びＡＳＩＣを備えている。前記ＣＰＵは装置全体の制御を司るものである。前記ＲＯＭは、ＣＰＵが実行するプログラム、本発明において使用する所定インクに対する印字モードと印字中加温の設定温度値及び加温制御範囲許容閾値、駆動波形データ、その他の固定データを格納するものである。前記ＲＡＭは画像データ等を一時格納するものである。前記不揮発性メモリは、装置の電源が遮断されている間もデータを保持するためのものである。前記ＡＳＩＣは、画像データに対する各種信号処理、並び替え等を行う画像処理やその他装置全体を制御するための入出力信号を処理するものである。
また、この制御部は、Ｉ／Ｆ、ヘッド駆動制御部、媒体搬送モータ駆動部、ヘッドユニット移動モータ駆動部、維持ユニット移動モータ駆動制御部、送液吸引モータ駆動制御部、Ｉ／Ｏなどを備えている。
前記Ｉ／Ｆは、ホスト側とのデータ、信号の送受を行うためのものである。前記ヘッド駆動制御部は、印字ヘッド（記録ヘッド）の圧力発生手段を駆動制御するための駆動波形を生成するものである。前記媒体搬送モータ駆動部は、媒体搬送モータを駆動するためのものであり、前記ヘッドユニット移動モータ駆動部は、ヘッドユニット移動モータを駆動するためのものである。前記維持ユニット移動モータ駆動制御部は、維持ユニット移動モータを駆動するためのものであり、前記送液吸引モータ駆動制御部は、キャップ吸引モータやインク供給モータの駆動を制御するものである。前記Ｉ／Ｏは、搬送コロの移動量及び移動速度に応じた検知信号を出力するエンコーダや、環境温度及び環境湿度（いずれか一方でも良い）を検出するセンサからの検知信号、印字中温度を測定している放射温度センサ、加熱定着ヒーターの温度センサ、加熱定着ヒーター内のジャム検知センサ、サブインクタンクのインク量検知信号、インクカートリッジの有無を検知する検知センサー、およびカートリッジに付随するICチップと交信する通信部、装置の各扉に設置されている開閉状態を示す扉開閉センサー、図示しない各種センサからの検知信号を入力するためのものである。
【００５１】
また、この制御部には、この装置に必要な情報の入力及び表示を行なうための操作パネルが接続されており、LCDからなる表示部、キーボードやスイッチからなる入力部、ビープ音などを発音するスピーカー等の操作／表示部から構成されている。
制御部は、パーソナルコンピュータ等の情報処理装置、イメージスキャナなどの画像読み取り装置、デジタルカメラなどの撮像装置などのホスト側からの印刷データ等をケーブル或いはネットを介してＩ／Ｆで受信する。
そして、ＣＰＵは、Ｉ／Ｆに含まれる受信バッファ内の印刷データを読み出して解析し、ＡＳＩＣにて必要な画像処理、データの並び替え処理等を行う。また、ＣＰＵは、印字ヘッドのヘッド幅の１ページ分に相当する画像データ（ドットパターンデータ）を、クロック信号に同期して、ヘッド駆動制御部に送出する。
なお、画像出力するためのドットパターンデータの生成は、例えばＲＯＭにフォントデータを格納して行っても良いし、ホスト側のプリンタドライバで画像データをビットマップデータに展開してこの装置に転送するようにしてもよい。
【００５２】
なお、上記はキャリッジが走査するシリアル型（シャトル型）インクジェット印刷装置に適用した例で説明したが、ライン型ヘッドを備えたライン型インクジェット印刷装置にも同様に適用することができる。ライン型インクジェット印刷装置の場合には、多パスで印字できない代わりに、印字経路に複数同一色のヘッドを配列することでシリアル型インクジェット印刷装置の多パス印字と同様の効果を得ることができる。また、画像印字スキャンの数の増加に応じて非多孔質記録媒体の表面温度を下げる代わりに、同一色のラインヘッドが増えることに伴って表面温度を下げることで、印字物の画質向上が得られる。
【００５３】
次に本発明のインクの交換方法におけるインクジェット印刷装置およびユーザーの動作の例について説明する。
（動作１）
（Ｓ１）インクジェット印刷装置にインクＡが供給されている状態。システムはインクタンクの液固有情報を得ている。この場合、使用液種情報はインクＡである。
（Ｓ２）（ユーザー動作）入力手段からインク交換を指示し、交換後インク種をインクＢと設定する。
（Ｓ３）設定値に基づき、交換後インク種のインクＢの液種情報を保存する。
（Ｓ４）使用液種情報に紐づいた洗浄に用いる液種情報を組み合わせテーブルから取り出し、洗浄液種１として保存する（この場合洗浄液Ａを選択する）。
（Ｓ５）交換後液種情報に紐づいた洗浄に用いる液種情報を組み合わせテーブルから取り出し、洗浄液種２として保存する（この場合洗浄液Ｂを選択する）。
（Ｓ６）インク交換の動作開始：インクＡ供給動作を停止し、弁を閉じる。
（Ｓ７）インクタンクを取り外すことを表示機構に表示する。
（Ｓ８）（ユーザー動作）インクＡの入ったインクタンクを取り外す。
（Ｓ９）洗浄液種１、洗浄液種２、交換後インク種の情報から、交換洗浄に必要な液種情報（この場合、洗浄液Ａ、洗浄液Ｂ、インクＢ）を表示機構に表示する。
（Ｓ１０）洗浄液種１に基づいて、交換するインク種を表示機構に表示する（この場合は、洗浄液Ａ）。
（Ｓ１１）（ユーザー動作）洗浄液Ａの入ったインクタンクを取り付ける。
（Ｓ１２）取付られたインクタンクから液種情報を入手する。
（Ｓ１３）洗浄液種１とインクタンクの液種情報と比較する。
（Ｓ１４）Yes：情報と一致する場合、弁を開放後洗浄液を供給し、定められた洗浄シーケンスを実施する。No：情報と異なる場合、インク種が異なることを表示機構に表示する。（Ｓ９）へ戻る。
（Ｓ１５）洗浄シーケンス終了後、弁を閉じる。
（Ｓ１６）洗浄液種２に基づいて、交換するインク種を表示機構に表示する（この場合は、洗浄液Ｂ）。
（Ｓ１７）（ユーザー動作）洗浄液Ｂの入ったインクタンクを取り付ける。
（Ｓ１８）取付られたインクタンクから液種情報を入手する。
（Ｓ１９）洗浄液種２とインクタンクの液種情報と比較する。
（Ｓ２０）Yes：情報と一致する場合、弁を開放後洗浄液を供給し、定められた洗浄シーケンスを実施する。No：情報と異なる場合、インク種が異なることを表示する。（Ｓ１５）へ戻る。
（Ｓ２１）洗浄シーケンス終了後、弁を閉じる。
（Ｓ２２）交換後インク種に基づいて、交換するインク種を表示機構に表示する（この場合は、インクＢ）。
（Ｓ２３）（ユーザー動作）インクＢの入ったインクタンクを取り付ける。
（Ｓ２４）取付られたインクタンクから液種情報を入手する。
（Ｓ２５）交換後インク種とインクタンクの液種情報とを比較する。
（Ｓ２６）Yes：情報と一致する場合、弁を開放後洗浄液を供給し、定められた充填置換シーケンスを実施する。No：情報と異なる場合、インク種が異なることを表示する。（Ｓ２１）へ戻る。
（Ｓ２７）充填置換シーケンス終了後、使用液種情報を交換後インク種に変更する。
（Ｓ２８）置換終了のメッセージを表示機構に表示する。
【００５４】
以下の動作２は、２つのインクタンクをセットできる場合であり、それぞれのインクタンクに異なる洗浄液を装着することにより、使用される洗浄液のカートリッジ量を減らすことが可能となる。例えば、一種のインクに対して、インクタンクが複数セット可能（例えばインクホルダーＡ、Ｂ）であり、複数のインクタンクに対して、ヘッドへの供給タンクを変更可能とすることができる。
【００５５】
（動作２）
（Ｓ２９）インクジェット印刷装置にインクＡが供給されている状態。システムはインクタンクの液固有情報を得ている。この場合、使用液種情報はインクＡである。
（Ｓ３０）（ユーザー動作）入力手段からインク交換を指示し、交換後インク種をインクＢと設定する。
（Ｓ３１）設定値に基づき、交換後インク種のインクＢの液種情報を保存する。
（Ｓ３２）使用液種情報に紐づいた洗浄に用いる液種情報を組み合わせテーブルから取り出し、洗浄液種１として保存する（この場合洗浄液Ａを選択する）。
（Ｓ３３）交換後液種情報に紐づいた洗浄に用いる液種情報を組み合わせテーブルから取り出し、洗浄液種２として保存する（この場合洗浄液Ｂを選択する）。
（Ｓ３４）インク交換の動作開始：インクＡ供給動作を停止し、弁を閉じる。
（Ｓ３５）インクタンクを取り外すことを表示機構に表示する
（Ｓ３６）（ユーザー動作）インクＡの入ったインクタンクを取り外す。
（Ｓ３７）洗浄液種１、洗浄液種２、交換後インク種の情報から、交換洗浄に必要な液種情報（この場合、洗浄液Ａ、洗浄液Ｂ、インクＢ）を表示機構に表示する。
（Ｓ３８）洗浄液種１に基づいて、インクホルダーＡに対して交換するインク種を表示機構に表示する（この場合は、洗浄液Ａ）。
（Ｓ３９）洗浄液種２に基づいて、インクホルダーＢに対して交換するインク種を表示機構に表示する（この場合は、洗浄液Ｂ）。
（Ｓ０）（ユーザー動作）洗浄液Ａ、洗浄液Ｂの入ったインクタンクを取り付ける。
（Ｓ４１）取付られたインクタンクから液種情報を入手する。
（Ｓ４２）洗浄液種１とインクタンクの液種情報と比較し、洗浄液種２とインクタンクの液種情報と比較する。
（Ｓ４３）Yes：情報と一致する場合、定められた洗浄シーケンスを実施する。No：情報と異なる場合、インク種が異なることを表示する。（Ｓ３７）へ戻る。
（Ｓ４４）洗浄シーケンス：インクホルダーＡ側の弁を開放し、洗浄液種１を供給し、洗浄シーケンスを実施する。
（Ｓ４５）洗浄シーケンス終了後、インクホルダーＡ側の弁を閉じる。
（Ｓ４６）洗浄シーケンス：インクホルダーＢ側の弁を開放し、洗浄液種２を供給し、洗浄シーケンスを実施する。
（Ｓ４７）洗浄シーケンス終了後、インクホルダーＢ側の弁を閉じる。
（Ｓ４８）交換後インク種に基づいて、交換するインク種を表示機構に表示する（この場合は、インクＢ）。
（Ｓ４９）（ユーザー動作）インクＢの入ったインクタンクを取り付ける。
（Ｓ５０）取付られたインクタンクから液種情報を入手する。
（Ｓ５１）交換後インク種とインクタンクの液種情報とを比較する。
（Ｓ５２）Yes：情報と一致する場合、弁を開放後洗浄液を供給し、定められた充填置換シーケンスを実施する。No：情報と異なる場合、インク種が異なることを表示する。（Ｓ４３）へ戻る。
（Ｓ５３）充填置換シーケンス終了後、使用液種情報を交換後インク種に変更する。
（Ｓ５４）置換終了のメッセージを表示する。
【００５６】
前記動作２において、インクジェット印刷装置にインクタンク（インクカートリッジ）ホルダーへのロック機構を搭載すれば、インクカートリッジ交換時に異なるホルダーにカートリッジが刺さらないように、交換が必要なものだけをロック解除して、カートリッジの誤った取り出しを抑制することができる。
また、インクジェット印刷装置が、光学式（バーコード）やＲＦＩＤなどにより、インクカートリッジの識別を装置に接触することなく行うことができる場合、即ち、識別する機構が非接触によりインクカートリッジの識別情報を感知する場合は、インクカートリッジを装置に完全に取り付ける前にインクカートリッジが適切か否かを判定し、取り付けが不適当である場合は表示機構を通じて取り付けの誤りを示すことができ、誤挿入によるカートリッジ内インクの汚染を回避することができる。
さらに、インクジェット印刷装置には、インクカートリッジ取り付け抑制機構を設けることもできる。インクカートリッジ取り付け抑制機構は、カートリッジ扉のロック解除や差し込み抑制が可能であり、誤ったインクカートリッジを感知された場合はロック解除を行わず、もしくは差し込み抑制を行うことで、ユーザーが誤ってインクカートリッジを取り付けることを抑制することが可能となる。また、挿入スロット毎に応じてカートリッジ形状を変更する必要がなく、同一カートリッジ形状、スロット形状であっても、誤挿入を回避抑制できる。
【実施例】
【００５７】
以下、実施例および比較例により本発明をさらに具体的に説明するが、本発明はこれらの例により限定されるものでない。
【００５８】
合成例１（ポリマー溶液Ａの調製）
機械式攪拌機、温度計、窒素ガス導入管、還流管及び滴下ロートを備えた１Ｌのフラスコ内にブタノール190g入れ、充分に窒素ガス置換した後、110℃に加熱した。2-エチルヘキシルメタクリレート70g、スチレン70g、アクリル酸60g、およびV-601(和光純薬製)12gの混合物を2時間かけて滴下した。
滴下後、110℃で１時間熟成した後、室温まで冷却しジメチルアミノエタノール74.2g、水を200g加えた。その後加温して水と共沸させつつブタノールを留去し、不揮発性分が50%になるように調整し、ポリマー溶液Ａを得た。
【００５９】
調製例１（顔料分散体Aの調製）
合成例1で作成したポリマー溶液Ａ  12ｇとＣ．Ｉ．ピグメントブルー１５：３を20ｇ、イオン交換水68ｇを十分に予備分散した後、直径0.5mmのジルコニアビーズ1800gを充填した容積0.6Lのダイノーミルを用いて2時間分散処理を行い、顔料濃度20重量％、固形26重量％の顔料分散体Aを得た。
【００６０】
調製例2（顔料分散体Bの調製）
調製例１記載の顔料「ピグメントブルー１５：３」をＣ．Ｉ．ピグメントレッド１２２に変更する点以外は調製例1と同様にして分散処理を行うことで、顔料濃度20重量％、固形26重量％の顔料分散体Bを得た。
【００６１】
調製例3（顔料分散体Cの調製）
調製例１記載の顔料「ピグメントブルー１５：３」をＣ．Ｉ．ピグメントイエロー７４に変更する点以外は調製例1と同様にして分散処理を行うことで、顔料濃度20重量％、固形26重量％の顔料分散体Cを得た。
【００６２】
調製例4（顔料分散体Dの調製）
調製例１記載の顔料「ピグメントブルー１５：３」をカーボンブラック（ＦＷ−１００、デグサ社製）に変更する点以外は調製例1と同様にして分散処理を行うことで、顔料濃度20重量％、固形26重量％の顔料分散体Dを得た。
【００６３】
合成例２（ポリマー溶液Ｂの調製）
機械式攪拌機、温度計、窒素ガス導入管、還流管及び滴下ロートを備えた１Ｌのフラスコ内を充分に窒素ガス置換した後、スチレン１１．２ｇ、アクリル酸２．８ｇ、ラウリルメタクリレート１２．０ｇ、ポリエチレングリコールメタクリレート４．０ｇ、スチレンマクロマー４．０ｇ及びメルカプトエタノール０．４ｇ、メチルエチルケトン４０ｇを混合し、６５℃に昇温した。
次にスチレン１００．８ｇ、アクリル酸２５．２ｇ、  ラウリルメタクリレート１０８．０ｇ、ポリエチレングリコールメタクリレート３６．０ｇ、ヒドロキシルエチルメタクリレート６０．０ｇ、スチレンマクロマー３６．０ｇ、メルカプトエタノール３．６ｇ、アゾビスメチルバレロニトリル２．４ｇ及びメチルエチルケトン３４２ｇの混合溶液を２．５時間かけて、フラスコ内に滴下した。
滴下後、アゾビスメチルバレロニトリル０．８ｇ及びメチルエチルケトン１８ｇの混合溶液を０．５時間かけて、フラスコ内に滴下した。６５℃で１時間熟成した後、アゾビスメチルバレロニトリル０．８ｇを添加し、更に１時間熟成した。
反応終了後、濃度が５０％のポリマー溶液Ｂ  ８００ｇを得た。
【００６４】
調製例5（顔料分散体Eの調製）
合成例２で作成したポリマー溶液Ｂ  １７．５ｇとＣ．Ｉ．ピグメントブルー１５：３を３２．５ｇ、１ｍｏｌ／Ｌの水酸化カリウム水溶液８．５ｇ、メチルエチルケトン１３ｇ及びイオン交換水１３．６ｇを十分に攪拌した後、ロールミルを用いて混練した。
得られたペーストを純水２００ｇに投入し、充分に攪拌した後、エバポレータ用いてメチルエチルケトン及び水を留去し、顔料１５％含有、固形分２０％の顔料分散体Eを得た。
【００６５】
調製例6（顔料分散体Fの調製）
調製例5記載の顔料「ピグメントブルー１５：３」をＣ．Ｉ．ピグメントレッド１２２に変更する点以外は調製例５と同様にして分散処理を行うことで、顔料濃度15重量％、固形20重量％の顔料分散体Fを得た。
【００６６】
調製例7（顔料分散体Gの調製）
調製例5記載の顔料「ピグメントブルー１５：３」をＣ．Ｉ．ピグメントイエロー７４に変更する点以外は調製例５と同様にして分散処理を行うことで、顔料濃度15重量％、固形20重量％の顔料分散体Gを得た。
【００６７】
調製例8（顔料分散体Hの調製）
調製例5記載の顔料「ピグメントブルー１５：３」をカーボンブラック（ＦＷ−１００、デグサ社製）に変更する点以外は調製例５と同様にして分散処理を行うことで、顔料濃度15重量％、固形20重量％の顔料分散体Hを得た。
【００６８】
＜樹脂エマルジョンAの調製＞
攪拌機、還流冷却管及び温度計を挿入した反応容器に、ポリカーボネートジオール（１，６−ヘキサンジオールとジメチルカーボネートの反応生成物）１５００ｇ、２，２−ジメチロールプロピオン酸（ＤＭＰＡ）２２０ｇ及びＮ−メチルピロリドン（ＮＭＰ）１３４７ｇを窒素気流下で仕込み、６０℃に加 熱してＤＭＰＡを溶解させた。 次いで、４，４′−ジシクロヘキシルメタンジイソシアネート１４４５ｇ、ジブチルスズジラウリレート（触媒）２．６ｇを加えて９０℃まで加熱し、５時間かけてウレタン化反応を行い、イソシアネート末端ウレタンプレポリマーを得た。
この反応混合物を８０℃まで冷却し、これにトリエチルアミン１４９ｇを添加・混合したものの中から４３４０ｇを抜き出して、強攪拌下、水５４００ｇ及びトリエチルアミン１５ｇの混合溶液の中に加えた。 次いで、氷１５００ｇを投入し、３５％の２−メチル−１，５−ペンタンジアミン水溶液６２６ｇを加えて鎖延長反応を行い、固形分濃度が３０％となるように溶媒を留去し、［ポリカーボネート系ウレタン樹脂エマルジョン］を得た。
得られた［ポリカーボネート系ウレタン樹脂エマルジョン］の体積平均粒径を粒度分析装置（Nanotrac Wave-EX150、日機装株式会社製）を用いて測定したところ、D50 ３５ｎｍであった。
【００６９】
＜樹脂エマルジョンBの調製＞
撹拌機、還流コンデンサー、滴下装置、及び温度計を備えた反応容器に、イオン交換水９００ｇ及びラウリル硫酸ナトリウム１ｇを仕込み、撹拌下に窒素置換しながら７０℃まで昇温した。 内温を７０℃に保ち、重合開始剤として過硫酸カリウム４ｇを添加し、溶解後、予めイオン交換水４５０ｇ、ラウリル硫酸ナトリウム３ｇにアクリルアミド２０ｇ にスチレン３６５ｇ、ブチルアクリレート５４５ｇ、及びメタクリル酸１０ｇを撹拌化に加えて作製した乳化物を、反応溶液内に連続的に４時間かけて滴下した。 滴下終了後、３時間の熟成を行った。
得られた水性エマルジョンを常温まで冷却した後、イオン交換水と水酸化ナトリウム水溶液を添加して固形分３０質量％、ｐＨ８に調整した。 
得られた［アクリル樹脂エマルジョン］の体積平均粒径を粒度分析装置（Nanotrac Wave-EX150、日機装株式会社製）を用いて測定したところ、D50 ８８ｎｍであった。 
【００７０】
＜インクの調製＞
下記表１に記載の質量比率に合わせて、有機溶剤、浸透剤、界面活性剤、高純水をビーカに加え、スターラーにて１５分間攪拌を行い均一に混合した。この混合液に対して、上記調製例で製造した樹脂エマルジョンを添加し１５分間攪拌後、顔料分散体を添加し３０分間撹拌し各種インクを調製した。
また得られたインクの体積平均粒径を粒度分析装置（Nanotrac Wave-EX150、日機装株式会社製）を用いて測定し粒径を評価した。 
なお、表１記載の成分について、
ポリエチレングリコール（mn:200）：数平均分子量が200のポリエチレングリコール
TEGO WET-270（Evonic製）：シリコーン系界面活性剤
BYK-349（BYK製）：シリコーン系界面活性剤
ソフタノールEP-7025（日本触媒製）：ハイドロカーボン系ノニオン性界面活性剤
である。
【００７１】
＜洗浄液の調製＞
下記表１に記載の質量比率に合わせて、有機溶剤、浸透剤、界面活性剤、高純水をビーカに加え、スターラーにて３０分間攪拌を行い、各種洗浄液を調製した。
【００７２】
【表１】
2020082353.tif 000003
【００７３】
・液物性測定
表面張力は協和界面化学製表面張力計ＤＹ−３００にて、２３℃の条件で測定した。
水分蒸発速度は、２３℃１０％ＲＨ無風環境下で、表面積２．５ｃｍ２となるように１ｇの液体をガラスシャーレに入れ、４００分後まで重量を測定し平均蒸発速度を計測した。
結果を表２に示す。
【００７４】
【表２】
2020082353.tif 000004
【００７５】
インクと洗浄液を混合した混合液の試験結果
調合例９〜１６のインクと調合例１７〜２１の洗浄液を、インク：洗浄液（質量比）＝0.01：99.99の比で混ぜ、密閉容器にて70℃1週間保存し、保存後の粒径を測定した。
［評価基準］
Ａ：  D90が600nm未満
Ｂ：  D90が600nm以上1μm未満
Ｃ：  D90が1μm以上
結果を表３に示す。
【００７６】
【表３】
2020082353.tif 000005
【００７７】
＜インク置換評価＞
（１）初期状態の設定
インクジェットプリンター（ＩＰＳＩＯ ＧＸ-ｅ５０００、株式会社リコー製）のインク供給経路やヘッド内のインクを純水置換し、その後、表５の実施例１の液セットのインクＡを充填したカートリッジを取り付け、充填動作後にヘッドリフレッシング動作を１０回繰り返しインク供給経路やヘッド内のインクを調製例のインクに置き換えた。その後、ノズルチェックパターンを印字し、ノズル抜けが無くなるまでヘッドリフレッシング動作を行った。
（２）洗浄液Ａへの置換
インクジェットプリンターのノズル抜け無きことを確認後、表５の実施例１の液セットの洗浄液Ａを充填したカートリッジを全カートリッジの代わりに取り付け、ヘッドリフレッシング動作を６回実施する。その後プリンターの維持ユニットを動作させ、各ヘッドから４．５ｃｃだけ吸引し再び充填する動作を３回繰り返して実施する。再度充填後、各ヘッドから２ｃｃ吸引した後、ノズル面をワイピングすることでインクジェット装置内の経路の洗浄液Ａへの液置換を行った。
（３）洗浄液Ｂへの置換
その後、表５の実施例１の液セットの洗浄液Ｂを充填したカートリッジを全カートリッジの代わりに取り付け、ヘッドリフレッシング動作を６回実施する。その後プリンターの維持ユニットを動作させ、各ヘッドから４．５ｃｃだけ吸引し再び充填する動作を３回繰り返して実施する。再度充填後、各ヘッドから２ｃｃ吸引した後、ノズル面をワイピングすることでインクジェット装置内の経路の洗浄液Ｂへの液置換を行った。
（４）インクＢへの置換
その後、表５の実施例１の液セットのインクＢを充填したカートリッジを全カートリッジの代わりに取り付け、ヘッドリフレッシング動作を６回実施する。その後プリンターの維持ユニットを動作させ、各ヘッドから４．５ｃｃだけ吸引し再び充填する動作を３回繰り返して実施する。再度充填後、各ヘッドから２ｃｃ吸引した後、ノズル面をワイピングすることでインクジェット装置内の経路のインクＢへの液置換を行った。
前記（１）〜（４）の動作を、表６〜１４に示す液セットに変更して繰り返した。
（５）置換後の状態確認
インクＢへのインク置換後、ノズルチェックパターンを印字し、充填動作後にヘッドリフレッシング動作を繰り返し、ノズルチェックにて吐出不良（ノズルの不吐出や吐出曲がり＝画像に対する白筋や黒筋が目立つ状態）が無くなるまでのヘッドリフレッシング回数（ＲＦ回数）にて評価を行った（ＲＦ回数は最大８回まで）。
Ａ：ヘッドリフレッシング２回以下
Ｂ：ヘッドリフレッシング３回以上４回以下
Ｃ：ヘッドリフレッシング５回以上必要、もしくは回復不能
また上記の評価を行う過程で（２）洗浄液Ａへの置換後に５０℃２週間放置し、同様の評価を行った。
結果を表４に示す。
【００７８】
【表４】
2020082353.tif 000006
【００７９】
【表５】
2020082353.tif 000007
【００８０】
【表６】
2020082353.tif 000008
【００８１】
【表７】
2020082353.tif 000009
【００８２】
【表８】
2020082353.tif 000010
【００８３】
【表９】
2020082353.tif 000011
【００８４】
【表１０】
2020082353.tif 000012
【００８５】
【表１１】
2020082353.tif 000013
【００８６】
【表１２】
2020082353.tif 000014
【００８７】
【表１３】
2020082353.tif 000015
【００８８】
【表１４】
2020082353.tif 000016
【００８９】
以上の結果から、実施例１〜６は：
インクジェット印刷装置に充填されるインクの交換方法において、
前記インクの交換方法は、少なくとも前記インクジェット印刷装置に充填されているインクＡを、交換すべきインクＢに交換する方法であり、
前記インクＡが存在する少なくとも１部または全部の箇所を、前記インクＡに対し親和性の高い洗浄液Ａにより洗浄する工程（１）と、
前記工程（１）後、前記洗浄液Ａが存在する少なくとも１部または全部の箇所を、前記インクＢに対し親和性の高い洗浄液Ｂにより洗浄する工程（２）と、
前記工程（２）後、前記洗浄液Ｂが存在する少なくとも１部または全部の箇所を、前記インクＢにより置換する工程（３）と、
を有し、
前記洗浄液Ａの表面張力は、前記インクＡの表面張力以上であり、かつ
前記洗浄液Ｂの表面張力は、前記インクＢの表面張力以上である
という本発明のインクの交換方法の要件をすべて満たしているので、比較例に比べて、インクジェット印刷装置におけるインクの交換を行う際に、交換されるインク間の混合に伴う凝集等の不具合を引き起こさず、安定的にかつ効率的にインクの交換が行えることが判明した。
とくに、洗浄液Ａより洗浄液Ｂの表面張力が高い場合、良好なインク交換が行えた。
また、洗浄液Ａの水分蒸発速度が低いものほど洗浄液Ａへの置換後の放置による影響が少なく、その後の作業によるインク置換に対して品質が劣化しにくいことが分かった。
【符号の説明】
【００９０】
（図１及び図２）
２０１  インクカートリッジ
２４１  インク袋
２４２  インク注入口
２４３  インク排出口
２４４  カートリッジケース
（図３及び図４）
１０１  装置本体
１０２  給紙トレイ
１０３  排紙トレイ
１０４  インクカートリッジ装填部
１０５  操作部
１３１  ガイドロッド
１３２  サブガイドロッド
１３３  キャリッジ
１３４  印字ヘッド
１３５  サブタンク
１４１  用紙積載部
１４２  用紙
１４３  給紙コロ
１４４  分離パッド
１５２  ガイドコロ
１５４  カウンターコロ
１５７  給紙ローラ
１６１  ガイド部材
１７１  拍車コロ
１７２  排紙ローラ
１７３  拍車コロ
１８１  温風ヒーター
１８２  赤外線ヒーター
１８３  裏面ヒーター
【先行技術文献】
【特許文献】
【００９１】
【特許文献１】特開２００１−２１９５７４号公報
【図１】
2020082353.tif 000017
【図２】
2020082353.tif 000018
【図３】
2020082353.tif 000019
【図４】
2020082353.tif 000020
【図５】
2020082353.tif 000021